(57)【特許請求の範囲】
【請求項１】
画像を表示する画像表示装置であって、
受信データに含まれる画像データを第１の画像データとして記憶する記憶部と、
前記第１の画像データと、当該第１の画像データを記憶した後の受信データに含まれる画像データである第２の画像データとが、異なるか否かを判定するデータ判定部と、
前記データ判定部により、前記第１の画像データと前記第２の画像データとが異なると判定されると、前記記憶部に記憶された前記第１の画像データを、前記第２の画像データに基づいて更新する更新部と、
前記受信データに含まれる制限情報が、外部機器への外部機器用データの送信を許容する情報であるか否かを判定する制限情報判定部と、
前記制限情報判定部により、前記制限情報が前記外部機器用データの送信を許容する情報であると判定された場合、前記第１の画像データ及び前記第２の画像データのうち少なくともいずれかに基づく第３の画像データと前記制限情報とを含む前記外部機器用データを生成するデータ生成部と、
無線にて前記外部機器用データを複数の外部機器に送信可能なデータ送信部と、を備え、
前記制限情報には、当該画像表示装置を第１階層とし、当該画像表示装置と通信する外部機器を第２層とし、当該外部機器と通信する他の外部機器を第３階層とする場合に、データを送信する機器から見て前記外部機器用データの送信が許容される残りの階層数を示す情報が含まれ、
前記制限情報判定部は、前記制限情報に含まれる階層数が所定値以上であれば、前記制限情報が前記外部機器用データの送信を許容する情報であると判定し、当該階層数が所定値未満であれば、前記制限情報が前記外部機器用データの送信を許容しない情報であると判定し、
前記データ生成部は、前記外部機器用データの送信が許容される残りの階層数を示す前記制限情報を含む前記外部機器用データを生成する
ことを特徴とする画像表示装置。
【請求項２】
請求項１に記載の画像表示装置において、
前記データ生成部は、
前記第１の画像データに対する前記第２の画像データの変化領域に係る画像データを前記第３の画像データとして抽出する抽出部と、
前記第１の画像データ及び前記第２の画像データのうち少なくともいずれか一方における前記変化領域の位置を示す位置情報を取得する位置情報取得部とを備え、
前記外部機器用データには、前記位置情報が含まれることを特徴とする画像表示装置。
【請求項３】
請求項１又は請求項２に記載の画像表示装置において、
前記データ生成部は、
前記第１の画像データ及び前記第２の画像データのうち少なくともいずれか一方を所定の圧縮形式で圧縮した圧縮画像データを生成する圧縮部と、
前記所定の圧縮形式を示す圧縮情報を取得する圧縮情報取得部とを備え、
前記外部機器用データには、前記第３の画像データとして前記圧縮画像データ及び前記圧縮情報が含まれることを特徴とする画像表示装置。
【請求項４】
画像を表示する画像表示装置を用いて行われる画像データ送信方法であって、
受信データに含まれる画像データを第１の画像データとして記憶する記憶ステップと、
前記第１の画像データと、当該第１の画像データを記憶した後の受信データに含まれる画像データである第２の画像データとが、異なるか否かを判定するデータ判定ステップと、
前記データ判定ステップにて、前記第１の画像データと前記第２の画像データとが異なると判定されると、前記第１の画像データを、前記第２の画像データに基づいて更新する更新ステップと、
前記受信データに含まれる制限情報が、外部機器への外部機器用データの送信を許容する情報であるか否かを判定する制限情報判定ステップと、
前記制限情報判定ステップにて、前記制限情報が前記外部機器用データの送信を許容する情報であると判定された場合、前記第１の画像データ及び前記第２の画像データのうち少なくともいずれかに基づく第３の画像データと前記制限情報とを含む前記外部機器用データを生成するデータ生成ステップと、
無線にて前記外部機器用データを少なくとも１台の外部機器に送信する送信ステップと、を含み、
前記制限情報には、前記画像表示装置を第１階層とし、前記画像表示装置と通信する外部機器を第２層とし、当該外部機器と通信する他の外部機器を第３階層とする場合に、データを送信する機器から見て前記外部機器用データの送信が許容される残りの階層数を示す情報が含まれ、
前記制限情報判定ステップでは、前記制限情報に含まれる階層数が所定値以上であれば、前記制限情報が前記外部機器用データの送信を許容する情報であると判定し、当該階層数が所定値未満であれば、前記制限情報が前記外部機器用データの送信を許容しない情報であると判定し、
前記データ生成ステップでは、前記外部機器用データの送信が許容される残りの階層数を示す前記制限情報を含む前記外部機器用データを生成する
ことを特徴とする画像データ送信方法。
【請求項５】
請求項４に記載の画像データ送信方法において、
前記データ生成ステップは、
前記第１の画像データに対する前記第２の画像データの変化領域に係る画像データを前記第３の画像データとして抽出する抽出手順と、
前記第１の画像データ及び前記第２の画像データのうち少なくともいずれか一方における前記変化領域の位置を示す位置情報を取得する位置情報取得手順とを有し、
前記外部機器用データには、前記位置情報が含まれることを特徴とする画像データ送信方法。
【請求項６】
請求項４又は請求項５に記載の画像データ送信方法において、
前記データ生成ステップは、
前記第１の画像データ及び前記第２の画像データのうち少なくともいずれか一方を所定の圧縮形式で圧縮して圧縮画像データを生成する圧縮手順と、
前記所定の圧縮形式を示す圧縮情報を取得する圧縮情報取得手順とを有し、
前記外部機器用データには、前記第３の画像データとして前記圧縮画像データ及び前記圧縮情報が含まれることを特徴とする画像データ送信方法。
【発明の詳細な説明】
【技術分野】
【０００１】
本発明は、入力される画像情報に応じた画像を表示する画像表示装置及び画像データ送信方法に関する。
【背景技術】
【０００２】
従来、ＰＣ（Personal Computer）等の画像出力装置に接続され、当該画像出力装置から入力される画像情報に応じた画像を表示する画像表示装置が知られている。このような画像表示装置として、光源から射出された光束を当該画像情報に応じて変調して画像光を形成し、当該画像光をスクリーン等の投射面上に拡大投射するプロジェクタが知られている。
このようなプロジェクタは、多くの観察者が参加するプレゼンテーション等に有効に利用される。具体的に、プロジェクタは、大きな画像を容易に形成表示することができるので、多人数で同じ画像を観察する際には、非常に有用である。このようなプロジェクタとして、接続された画像出力装置から入力される画像情報の他に、ネットワークを介してサーバから入力される画像情報に係る画像を表示するプロジェクタが知られている（例えば、特許文献１参照）。
【０００３】
【特許文献１】特開２００７−２５６７５７号公報
【発明の開示】
【発明が解決しようとする課題】
【０００４】
しかしながら、表示画像を限界以上に拡大してしまうと、当該表示画像が劣化してしまう。一方で、当該画像を近くで観察したいとの要望もある。このため、観察者の手元に画像表示装置がある場合には、当該画像表示装置にプロジェクタの表示画像と同じ画像を表示させることも考えられる。しかしながら、各画像表示装置にて当該画像を表示するには、画像データを予め配布する必要があり、当該画像表示装置が複数台ある場合には、データの配布が面倒である。このような煩雑さから、簡易に画像データを複数の画像表示装置で表示できる構成が望まれてきた。
【０００５】
本発明の目的は、複数の外部機器に画像データを簡易に送信することのできる画像表示装置及び画像データ送信方法を提供することである。
【課題を解決するための手段】
【０００６】
前記した目的を達成するために、本発明の画像表示装置は、画像を表示する画像表示装置であって、受信データに含まれる画像データを第１の画像データとして記憶する記憶部と、前記第１の画像データと、当該第１の画像データを記憶した後の受信データに含まれる画像データである第２の画像データとが、異なるか否かを判定するデータ判定部と、前記データ判定部により、前記第１の画像データと前記第２の画像データとが異なると判定されると、前記記憶部に記憶された前記第１の画像データを、前記第２の画像データに基づいて更新する更新部と、前記受信データに含まれる制限情報が、外部機器への外部機器用データの送信を許容する情報であるか否かを判定する制限情報判定部と、前記制限情報判定部により、前記制限情報が前記外部機器用データの送信を許容する情報であると判定された場合、前記第１の画像データ及び前記第２の画像データのうち少なくともいずれかに基づく第３の画像データと前記制限情報とを含む前記外部機器用データを生成するデータ生成部と、無線にて前記外部機器用データを複数の外部機器に送信可能なデータ送信部と、を備え、前記制限情報には、当該画像表示装置を第１階層とし、当該画像表示装置と通信する外部機器を第２層とし、当該外部機器と通信する他の外部機器を第３階層とする場合に、データを送信する機器から見て前記外部機器用データの送信が許容される残りの階層数を示す情報が含まれ、前記制限情報判定部は、前記制限情報に含まれる階層数が所定値以上であれば、前記制限情報が前記外部機器用データの送信を許容する情報であると判定し、当該階層数が所定値未満であれば、前記制限情報が前記外部機器用データの送信を許容しない情報であると判定し、前記データ生成部は、前記外部機器用データの送信が許容される残りの階層数を示す前記制限情報を含む前記外部機器用データを生成することを特徴とする。
【０００７】
ここで、外部機器との通信としては無線通信が例示でき、当該無線通信としては、アクセスポイントを介して外部機器と通信するインフラストラクチャモードや、アクセスポイントを介さずに外部機器と通信するアドホックモードを挙げることができる。
【０００８】
本発明によれば、判定部が、第１の画像データと第２の画像データとが異なると判定すると、データ生成部が、第１の画像データ及び第２の画像データのうち少なくともいずれかに基づく第３の画像データと制限情報とを含む外部機器用データを生成する。この際、データ生成部は、外部機器との通信方式に応じた外部機器用データを生成する。そして、データ送信部が、生成された外部機器用データを外部機器に送信する。これによれば、画像表示装置が、当該画像表示装置が表示する画像に係る画像データを、外部機器用データとして、複数の外部機器（例えば、他の画像表示装置）に簡易に送信することができる。従って、当該外部機器用データを外部機器が受信することにより、当該外部機器が表示手段を備えている場合には、当該外部機器は、画像表示装置が表示する画像と同様の画像を表示することができる。
また、外部機器用データに含まれる制限情報を変更することで、画像表示装置から送信された外部機器用データが、外部機器から更に他の外部機器に送信されることを規制することができるので、当該外部機器用データに係る画像データが複製されることを防ぐことができる。
【０００９】
また、このような外部機器用データの送信は、第１の画像データと第２の画像データとが異なると判定部が判定した場合に行われるので、同じ画像データを含む外部機器用データが頻繁に送信されることを防ぐことができる。従って、送信されるデータのデータ量を削減することができる。
更に、画像表示装置が更新部を備えていることにより、第２の画像データが第１の画像データに置き換わるので、当該第２の画像データの後に入力した第２の画像データとの比較を確実かつ適切に行うことができる。従って、判定部により、送信された外部機器用データの元となる画像データと、新たに入力した画像データとの比較を確実に行うことができ、画像データの変化に伴って、当該画像データに係る外部機器用データの生成及び送信を確実に行うことができる。
【００１０】
本発明では、前記データ生成部は、前記第１の画像データに対する前記第２の画像データの変化領域に係る画像データを前記第３の画像データとして抽出する抽出部と、前記第１の画像データ及び前記第２の画像データのうち少なくともいずれか一方における前記変化領域の位置を示す位置情報を取得する位置情報取得部とを備え、前記外部機器用データには、前記位置情報が含まれることが好ましい。
【００１１】
ここで、位置情報は、第２の画像データにおける変化領域が四角形状である場合に、当該四角形の各頂点の座標を示す情報、或いは、各頂点のうち最も原点に近い座標及び長方形のサイズを示す情報を挙げることができる。更に、位置情報は、変化領域の外周の座標を示す情報とすることもできる。
本発明によれば、第２の画像データの一部が第１の画像データと異なる場合に、第２の画像データの全領域のデータを外部機器用データに含めて送信する場合に比べて、外部機器に送信するデータ量を小さくすることができる。そして、外部機器用データには、変化領域の位置情報が含まれるので、外部機器は、既に受信した画像データにおいて位置情報により示される領域を、新たに入力されたデータ中の画像データに置き換えることで、画像表示装置が表示する画像と同じ画像を表示することができる。従って、送信されるデータのデータ量を一層小さくすることができるほか、変化領域を外部機器に確実に把握させることができる。
【００１２】
本発明では、前記データ生成部は、前記第１の画像データ及び前記第２の画像データのうち少なくともいずれか一方を所定の圧縮形式で圧縮した圧縮画像データを生成する圧縮部と、前記所定の圧縮形式を示す圧縮情報を取得する圧縮情報取得部とを備え、前記外部機器用データには、前記第３の画像データとして前記圧縮画像データ及び前記圧縮情報が含まれることが好ましい。
本発明によれば、圧縮部により画像データを圧縮しない場合に比べ、外部機器用データのデータ量を更に小さくすることができる。また、圧縮形式を示す圧縮情報が外部機器用データに含まれるので、当該外部機器用データを受信した外部機器においても、当該圧縮情報に基づいて、当該画像データを適切に復元することができる。更に、生成部が前述の抽出部を備えている場合には、更なるデータ量の削減を図ることができる。
【００１３】
また、本発明の画像データ送信方法は、画像を表示する画像表示装置を用いて行われる画像データ送信方法であって、受信データに含まれる画像データを第１の画像データとして記憶する記憶ステップと、前記第１の画像データと、当該第１の画像データを記憶した後の受信データに含まれる画像データである第２の画像データとが、異なるか否かを判定するデータ判定ステップと、前記データ判定ステップにて、前記第１の画像データと前記第２の画像データとが異なると判定されると、前記第１の画像データを、前記第２の画像データに基づいて更新する更新ステップと、前記受信データに含まれる制限情報が、外部機器への外部機器用データの送信を許容する情報であるか否かを判定する制限情報判定ステップと、前記制限情報判定ステップにて、前記制限情報が前記外部機器用データの送信を許容する情報であると判定された場合、前記第１の画像データ及び前記第２の画像データのうち少なくともいずれかに基づく第３の画像データと前記制限情報とを含む前記外部機器用データを生成するデータ生成ステップと、無線にて前記外部機器用データを少なくとも１台の外部機器に送信する送信ステップと、を含み、前記制限情報には、前記画像表示装置を第１階層とし、前記画像表示装置と通信する外部機器を第２層とし、当該外部機器と通信する他の外部機器を第３階層とする場合に、データを送信する機器から見て前記外部機器用データの送信が許容される残りの階層数を示す情報が含まれ、前記制限情報判定ステップでは、前記制限情報に含まれる階層数が所定値以上であれば、前記制限情報が前記外部機器用データの送信を許容する情報であると判定し、当該階層数が所定値未満であれば、前記制限情報が前記外部機器用データの送信を許容しない情報であると判定し、前記データ生成ステップでは、前記外部機器用データの送信が許容される残りの階層数を示す前記制限情報を含む前記外部機器用データを生成することを特徴とする。
本発明では、前記データ生成ステップは、前記第１の画像データに対する前記第２の画像データの変化領域に係る画像データを前記第３の画像データとして抽出する抽出手順と、前記第１の画像データ及び前記第２の画像データのうち少なくともいずれか一方における前記変化領域の位置を示す位置情報を取得する位置情報取得手順とを有し、前記外部機器用データには、前記位置情報が含まれることが好ましい。
また、本発明では、前記データ生成ステップは、前記第１の画像データ及び前記第２の画像データのうち少なくともいずれか一方を所定の圧縮形式で圧縮して圧縮画像データを生成する圧縮手順と、前記所定の圧縮形式を示す圧縮情報を取得する圧縮情報取得手順とを有し、前記外部機器用データには、前記第３の画像データとして前記圧縮画像データ及び前記圧縮情報が含まれることが好ましい。
【発明を実施するための最良の形態】
【００１５】
以下、本発明の一実施形態を図面に基づいて説明する。
〔画像表示システムの全体構成〕
図１は、本実施形態に係る画像表示システム１を示す模式図である。
本実施形態に係る画像表示システム１は、図１に示すように、画像表示装置としてのプロジェクタ２と、画像情報を出力する画像情報出力装置としてのＰＣ（Personal Computer）３とを備え、プロジェクタ２がＰＣ３から入力される画像情報に応じた画像を表示するとともに、当該プロジェクタ２が画像情報に係る画像データを、無線で通信する外部機器（図１では、ＰＣ４、ＰＤＡ（Personal Digital Assistant）５及びプロジェクタ６）に送信することで、当該外部機器４〜６でもプロジェクタ２により表示される画像を表示することができるシステムである。なお、プロジェクタ２とプロジェクタ６とは同じ構成である。
【００１６】
このうち、ＰＣ３は、一般的な映像出力端子を有するＰＣであり、当該映像出力端子を介して、プロジェクタ２に画像情報としての画像信号を出力する。なお、本実施形態では、ＰＣ３とプロジェクタ２とはＤ−Ｓｕｂ（D-Subminiature）端子で接続されているが、これに限らず、他の映像出力端子、例えば、ＤＶＩ（Digital Visual Interface）端子及びＨＤＭＩ（High-Definition Multimedia Interface）端子等の他の接続端子で接続されていてもよい。また、画像情報出力装置としては、ＰＣ３に限らず、他の機器、例えば、ＤＶＤ等の記録媒体を再生可能に構成された各種プレイヤ等を挙げることができる。
【００１７】
〔プロジェクタの構成〕
図２は、プロジェクタ２の構成を示すブロック図である。
プロジェクタ２は、前述のように、入力される画像情報に応じた画像を形成し、当該画像をスクリーンＳＣ等の投射面上に拡大投射するものである。また、プロジェクタ２は、当該画像信号に基づく画像データを外部機器４〜６（ＰＣ４、ＰＤＡ５及びプロジェクタ６）に無線送信する。
【００１８】
このようなプロジェクタ２は、図２に示すように、画像処理手段２１、映像メモリ２２、画像形成手段２３、無線通信手段２４、データ送信手段２５及びデータ受信手段２６を備えている。
このうち、映像メモリ２２は、本発明の記憶部に相当し、画像処理手段２１、データ送信手段２５及びデータ受信手段２６により参照可能に構成されたＶＲＡＭ（Video Random Access Memory）等のメモリである。このような映像メモリ２２には、画像データが記憶される。
【００１９】
〔画像処理手段の構成〕
画像処理手段２１は、入力された画像情報としての画像信号を処理する。そして、画像処理手段２１は、当該画像信号に基づいて画像形成手段２３の後述する液晶パネル２３２に駆動信号を出力し、当該画像形成手段２３により画像情報に応じた画像を形成させる。この画像処理手段２１は、ＤＡコンバータ２１１、画像処理部２１２及びパネルドライバ２１３を備えている。
ＤＡコンバータ２１１は、Ｄ−Ｓｕｂ端子を介してＰＣ３から入力されるアナログ信号をデジタル変換し、変換されたデジタル信号を画像処理部２１２に出力する。
【００２０】
画像処理部２１２は、入力されたデジタル信号から画像データを生成し、当該画像データを映像メモリ２２に記憶させるとともに、パネルドライバ２１３に出力する。この際、画像処理部２１２は、生成した画像データに係る駆動信号を液晶パネル２３２に出力するために当該画像データを適切なサイズに伸縮したり、当該画像データの色合い調整及びガンマ補正等の補正処理等を行う。
また、画像処理部２１２は、使用者の操作に応じて、ＤＡコンバータ２１１から入力されたデジタル信号に基づく画像を形成する場合と、後述するデータ受信手段２６により映像メモリ２２に記憶された画像データに基づく画像を形成する場合とを切り替える切替部（図示省略）を有する。そして、後者の場合には、画像処理部２１２は、映像メモリ２２を参照して画像データを取得し、当該画像データに所定の補正処理等を施した後、当該画像データをパネルドライバ２１３に出力する。
【００２１】
パネルドライバ２１３は、入力された画像データを液晶パネル２３２の駆動信号に変換し、当該駆動信号を液晶パネル２３２に出力する。これにより、当該液晶パネル２３２にて、当該駆動信号に応じた画像が形成される。
【００２２】
〔画像形成手段の構成〕
画像形成手段２３は、パネルドライバ２１３から入力される駆動信号に応じた画像光を形成し、当該画像光を投射することにより、スクリーンＳＣにて当該画像光に係る画像を表示する。この画像形成手段２３は、光源装置２３１、光変調装置としての液晶パネル２３２及び投射光学装置２３３を備えている。なお、図示を省略したが、画像形成手段２３は、これらの構成の他に、光源装置２３１から射出された光束を赤（Ｒ）、緑（Ｇ）及び青（Ｂ）の各色光に分離する色分離光学装置、及び、各色光を合成するクロスダイクロイックプリズム等の色合成光学装置を備え、液晶パネルは、各色光の光路上に配置されている。
【００２３】
光源装置２３１は、放電型の光源ランプと、当該光源ランプから出射された放射光を反射して所定位置に収束させるリフレクタとを備えている。なお、本実施形態では、光源ランプは、超高圧水銀ランプで構成したが、他の放電型の光源ランプを備える構成としてもよい。また、光源装置２３１は、光源ランプに代えて、ＬＥＤ（Light Emitting Diode）及びＬＤ（Laser Diode）等の固体光源、並びに、有機ＥＬ（Electroluminescence）素子を備える構成とすることも可能である。
【００２４】
液晶パネル２３２は、一対の透明なガラス基板に電気光学物質である液晶が密閉封入された構成を有し、パネルドライバ２１３から入力される駆動信号に応じて、当該液晶の配向状態が制御され、入射光束の偏光方向を変調する。なお、前述のように、液晶パネル２３２は、色合成光学装置で分離された赤（Ｒ）、緑（Ｇ）及び青（Ｂ）の各色光の光路上に配置され、当該各液晶パネル２３２により、各色光に係る画像光が形成される。そして、これら各画像光は、色合成光学装置により合成され、カラー画像に係る画像光が形成される。
投射光学装置２３３は、色合成光学装置により合成された画像光を拡大投射するものである。この投射光学装置２３３は、鏡筒と、当該鏡筒内部に収納される複数のレンズとを備えた組レンズとして構成されている。
【００２５】
〔無線通信手段の構成〕
無線通信手段２４は、本実施形態では、無線ＬＡＮ（Local Area Network）モジュールを備え、前述の外部機器４〜６と無線にて通信する。この際、無線通信手段２４は、これら外部機器が固有のＩＰ（Internet Protocol）アドレスを有している場合には、当該外部機器とインフラストラクチャモードで通信し、固有のＩＰアドレスを有していない場合には、アドホックモードで所定のチャンネルを用いて当該外部機器と通信する。このような無線通信手段２４は、データ送信手段２５により生成された外部機器用データを当該外部機器４〜６に送信するほか、他の外部機器からの外部機器用データを受信した場合には、当該データをデータ受信手段２６に出力する。
【００２６】
〔データ送信手段の構成〕
図３は、データ送信手段２５の構成を示すブロック図である。
データ送信手段２５は、映像メモリ２２に記憶された画像データに基づく外部機器用データを生成し、当該データを、無線通信手段２４を介して各外部機器４〜６に送信するデータ送信処理を実行する。このデータ送信手段２５は、図３に示すように、フレームメモリ２５１、送信先情報記憶部２５２及び外部機器用データ生成部２５３を備えている。なお、データ送信処理については、後に詳述する。
【００２７】
フレームメモリ２５１は、外部機器用データ生成部２５３による作業メモリとして用いられ、当該フレームメモリ２５１には、映像メモリ２２に記憶された画像データ（入力画像データ）の少なくとも一部が記憶される。
送信先情報記憶部２５２は、インフラストラクチャモードでの通信時に外部機器用データを送信すべき外部機器のＩＰアドレスや、アドホックモードでの通信時に利用されるチャンネルが記憶されている。これらＩＰアドレス及びチャンネルは、使用者により入力されるほか、検索により取得することもできる。
【００２８】
外部機器用データ生成部２５３は、前述の外部機器用データを生成する。この外部機器用データ生成部２５３は、制限情報判定部２５４、データ判定部２５５、データ生成部２５６、データ更新部２５７及びデータ出力部２５８を備えている。
このうち、データ判定部２５５は、本発明の判定部に相当し、映像メモリ２２に記憶された画像データを所定のタイミングで参照し、当該画像データに変化が生じたか否かを判定する。具体的に、データ判定部２５５は、映像メモリ２２に記憶されている画像データである記憶済み画像データ（本発明の第１の画像データに相当）と、当該画像データを記憶した後で、かつ、直前に入力された画像データである入力画像データ（本発明の第２の画像データに相当）とが異なるか否かを判定する。このようなタイミングとしては、当該画像データが更新されるタイミングとすることができるほか、当該画像データの表示に係る垂直同期信号に応じたタイミングとすることも可能である。
【００２９】
データ生成部２５６は、データ判定部２５５により、画像データに変化が生じたと判定された際に、映像メモリ２２に記憶された画像データに基づいて外部機器用データを生成する。このデータ生成部２５６は、位置情報取得部２５６１、データ抽出部２５６２、データ圧縮部２５６３、圧縮情報取得部２５６４、識別情報取得部２５６５、制限情報取得部２５６６及びパケット生成部２５６７を備えている。
【００３０】
位置情報取得部２５６１は、データ判定部２５５により画像データに変化が生じたと判定された領域の位置情報を取得する。すなわち、位置情報取得部２５６１は、記憶済み画像データと入力画像データとの間で異なる領域（変化領域）の位置情報を取得する。この位置情報取得部２５６１は、本実施形態では、位置情報として、変化領域を矩形としたときの原点に最も近い座標と、当該変化領域のサイズとを取得する。しかしながら、これに限らず、位置情報取得部２５６１は、矩形の変化領域の各頂点の座標を取得するようにしてもよい。
データ抽出部２５６２は、本発明の抽出部に相当し、入力画像データから前述の変化領域に係る画像データ（本発明の第３の画像データに相当）を抽出し、当該画像データをフレームメモリ２５１に記憶させる。
【００３１】
データ圧縮部２５６３は、本発明の圧縮部に相当し、フレームメモリ２５１に記憶された画像データを所定の圧縮形式で圧縮する。このような圧縮形式としては、非可逆圧縮の場合にはＪＰＥＧ（Joint Photographic Experts Group）を、可逆圧縮の場合にはＴＩＦＦ（Tagged Image File Format）を例示することができるが、他の圧縮形式でもよい。このような圧縮形式は、使用者が選択することができる。
圧縮情報取得部２５６４は、データ圧縮部２５６３による圧縮処理で利用された圧縮形式の種別を示す圧縮情報を取得する。
識別情報取得部２５６５は、外部機器用データの送信先となる外部機器の識別情報（ＩＰアドレス又はチャンネル）を送信先情報記憶部２５２から取得する。
【００３２】
制限情報取得部２５６６は、プロジェクタ２が外部機器４〜６へのデータ送信側となる場合には、使用者により設定された制限情報を、また、プロジェクタ２が他の機器からのデータ受信側となる場合には、当該他の機器から受信したデータ（外部機器用データ）に含まれる制限情報を取得する。この制限情報は、プロジェクタ２から外部機器４〜６に送信された外部機器用データを、当該外部機器４〜６が更に他の外部機器に送信することを許可するか否かを示す情報である。具体的に、制限情報は、プロジェクタ２を第１階層とし、当該プロジェクタ２と通信する外部機器４〜６を第２階層とし、更に、外部機器４〜６と通信する他の外部機器（プロジェクタ２を除く）を第３階層とした場合に、どの階層までのデータ送信を許可するのかを示す。
【００３３】
パケット生成部２５６７は、入力画像データから抽出され、フレームメモリ２５１に記憶された画像データと、前述の位置情報、圧縮情報、識別情報及び制限情報とに基づいて、無線通信手段２４によるデータ送信に適した形式、すなわち、外部機器４〜６との通信方式に応じた形式の外部機器用データを生成する。具体的に、パケット生成部２５６７は、当該画像データ及び各種情報を含むパケットを生成する。この際、パケット生成部２５６７は、プロジェクタ２が第１階層でない場合には、データ送信が許可される残りの階層を示す制限情報を含むパケットを生成する。例えば、制限情報は、プロジェクタ２が第２階層であり、受信された外部機器用データ（パケット）に含まれる制限情報が第３階層までのデータ送信を許可している場合には、残りの１階層までのデータ送信が可能である旨の情報となる。なお、パケット生成部２５６７は、無線通信手段２４がアドホックモードで通信する場合には、チャンネルを含む識別情報をパケットに含めず、当該識別情報を無線通信手段２４に出力する。
【００３４】
データ更新部２５７は、本発明の更新部に相当し、映像メモリ２２に記憶されていた記憶済み画像データを入力画像データに置き換えて、当該記憶済み画像データを更新する。
データ出力部２５８は、無線通信手段２４とともに本発明のデータ送信部に相当し、パケット生成部２５６７により生成されたパケット（外部機器用データ）を無線通信手段２４に出力し、当該無線通信手段２４が、当該パケットを外部機器４〜６に送信する。
【００３５】
〔データ受信手段の構成〕
図２に戻り、データ受信手段２６は、ＰＣ３とは異なる他の外部機器から外部機器用データを受信した場合に、無線通信手段２４を介して受信した当該データを処理する。具体的に、データ受信手段２６は、受信したデータに含まれる各種情報（例えば、圧縮情報）に基づいて、当該データに含まれる画像データを復元し、当該画像データを映像メモリ２２にコピーする。また、データ受信手段２６は、当該外部機器用データに含まれる制限情報を取得し、当該制限情報をデータ送信手段２５に出力する。
【００３６】
これにより、受信した外部機器用データに係る画像データが画像処理手段２１によって処理され、当該画像データに係る画像が画像形成手段２３によって形成表示される。また、当該外部機器用データに含まれる制限情報に基づいて、更に下の階層の外部機器へのデータ送信が許可されている場合には、データ送信手段２５により新たな外部機器用データが生成され、当該データを無線通信手段２４が、他の外部機器に送信する。
【００３７】
〔外部機器の構成〕
ここで、外部機器としてのＰＣ４について説明する。なお、ＰＤＡ５については、ＰＣ４独自の構成に代えてＰＤＡ５独自の構成を備えるほか、以下のＰＣ４の構成と同様の構成を有する。このため、ＰＤＡ５の説明を省略する。
【００３８】
図４は、ＰＣ４の構成を示すブロック図である。
ＰＣ４は、前述のように、プロジェクタ２から送信されたデータ（外部機器用データ）を受信して、当該データに含まれる画像データに係る画像を形成するとともに、当該ＰＣ４に接続された外部機器７から入力する画像情報に係る画像を形成可能に構成されている。このようなＰＣ４は、図４に示すように、画像処理手段４１、映像メモリ４２、表示手段４３、無線通信手段４４及びデータ受信手段４５を備えている。
なお、映像メモリ４２、無線通信手段４４及びデータ受信手段４５の構成及び機能については、前述の映像メモリ２２、無線通信手段２４及びデータ受信手段２６と同様であるので、説明を省略する。
【００３９】
画像処理手段４１は、前述の画像処理手段２１と同様の構成を有し、外部機器７から入力される画像情報としての画像信号を処理して、映像メモリ４２上に画像データを生成する。そして、画像処理手段４１は、当該画像データに基づく駆動信号を表示手段４３に出力する。また、画像処理手段４１は、受信されたデータ（外部機器用データ）に係る画像を表示するように操作された場合には、後述するデータ受信手段４５により映像メモリ４２に記憶された画像データを処理して、当該画像データに基づく駆動信号を表示手段４３に出力する。
表示手段４３は、例えば、液晶パネル等の表示装置であり、画像処理手段４１から入力される駆動信号に応じた画像を表示する。
【００４０】
〔データ送信処理〕
図５は、プロジェクタ２によるデータ送信処理を示すフローチャートである。
プロジェクタ２は、前述のように、データ送信処理を実行する。
このデータ送信処理では、図５に示すように、まず、データ送信手段２５を構成する制限情報判定部２５４が、制限情報を参照して、外部機器４〜６への外部機器用データの送信が許可されているか否かを判定する（ステップＳ０１）。ここで、制限情報判定部２５４が、許可されていないと判定した場合には、プロジェクタ２は、データ送信処理を終了する。
【００４１】
一方、制限情報判定部２５４が、許可されていると判定した場合には、データ判定部２５５が、記憶済み画像データと入力画像データとを比較し、入力画像データに変化が生じたか否かを判定する（ステップＳ０２）。ここで、データ判定部２５５が、変化が生じていないと判定した場合には、データ判定部２５５は、画像処理部２１２により更新される入力画像データの監視を継続する。
【００４２】
一方、データ判定部２５５が、入力画像データに変化が生じたと判定した場合には、データ生成部２５６の位置情報取得部２５６１が、入力画像データにおいて変化が生じたとされる領域（変化領域）の位置情報を取得する（ステップＳ０３）。そして、データ抽出部２５６２が、当該変化領域の画像データを入力画像データから抽出し（ステップＳ０４）、抽出した画像データをデータ圧縮部２５６３が所定の圧縮形式で圧縮する（ステップＳ０５）。また、圧縮情報取得部２５６４が、当該圧縮形式を示す圧縮情報を取得する（ステップＳ０６）。更に、識別情報取得部２５６５が、送信先情報記憶部２５２を参照して、外部機器４〜６の識別情報を取得し（ステップＳ０７）、制限情報取得部２５６６が、前述の制限情報を取得する（ステップＳ０８）。
【００４３】
次に、パケット生成部２５６７が、圧縮された画像データ（本発明の圧縮画像データに相当）及び各種情報に基づいて外部機器用データ（パケット）を生成し（ステップＳ０９）、データ出力部２５８が、無線通信手段２４を介して、当該データを外部機器４〜６に送信出力する（ステップＳ１０）。
この後、データ更新部２５７が、映像メモリ２２上の入力画像データを記憶済み画像データに置換えて、当該記憶済み画像データを更新する（ステップＳ１１）。
以上により、データ送信処理は終了するが、当該データ送信処理は繰り返し実行されることで、入力画像データに変化が生じるたびに、外部機器用データが各外部機器４〜６に送信される。
【００４４】
以上説明した本実施形態のプロジェクタ２によれば、以下の効果がある。
（１）データ判定部２５５が、記憶済み画像データと入力画像データとが異なると判定すると、データ生成部２５６が、入力画像データに基づいて、無線通信手段２４の通信方式に応じた外部機器用データ（パケット）を生成する。そして、データ出力部２５８が、無線通信手段２４を介して、当該外部機器用データを外部機器４〜６に送信する。これによれば、プロジェクタ２が表示する画像に係る画像データを、複数の外部機器４〜６に簡易に送信することができる。従って、プロジェクタ２及び外部機器４〜６にて、同様の画像を表示することができる。
【００４５】
また、外部機器用データの生成及び送信は、データ判定部２５５が、記憶済み画像データと入力画像データとが異なると判定した場合に行われる。これによれば、同じ画像データを含む外部機器用データが頻繁に送信されることを防ぐことができ、送信されるデータ量を削減することができる。
更に、データ更新部２５７により、記憶済み画像データは、生成した外部機器用データに係る入力画像データにより更新されるので、入力する画像データに変化があるか否かを適切に判定することができる。
【００４６】
（２）外部機器用データに含まれる画像データは、データ抽出部２５６２により抽出された変化領域に係る画像データである。これによれば、入力画像データの全領域に係る画像データを外部機器用データに含めて送信する場合に比べて、送信するデータ量を小さくすることができる。また、外部機器用データには、当該変化領域の入力画像データにおける位置情報が含まれるので、外部機器４〜６では、既に受信した画像データにおける位置情報により示される領域を、新たに入力した外部機器用データに係る画像データに置き換えることで、送信元であるプロジェクタ２が表示する画像と同じ画像を表示することができる。
【００４７】
（３）外部機器用データには、データ抽出部２５６２により入力画像データから変化領域として抽出され、かつ、データ圧縮部２５６３により圧縮された画像データが含まれる。これによれば、当該画像データを圧縮しない場合に比べ、送信されるデータのデータ量を更に小さくすることができる。また、外部機器用データには、圧縮情報も含まれているので、外部機器４〜６が、当該データに含まれる画像データを適切に復元することができる。
【００４８】
（４）外部機器用データには、当該データの他の外部機器への送信を制限する制限情報が含まれている。これによれば、当該制限情報が第２階層までのデータ送信を許可している場合には、外部機器用データを受信した外部機器４〜６から、第３階層に位置する他の外部機器に当該データが送信されることを規制することができる。従って、外部機器用データが無限に複製されることを防ぐことができる。
【００４９】
〔実施形態の変形〕
本発明は前述の実施形態に限定されるものではなく、本発明の目的を達成できる範囲での変形、改良等は本発明に含まれるものである。
前記実施形態では、データ生成部２５６は、位置情報取得部２５６１及びデータ抽出部２５６２と、データ圧縮部２５６３及び圧縮情報取得部２５６４とをそれぞれ備えるとしたが、本発明はこれに限らない。すなわち、データ生成部２５６は、パケット生成部２５６７の他に、位置情報取得部２５６１及びデータ抽出部２５６２のみを備える構成であってもよく、或いは、データ圧縮部２５６３及び圧縮情報取得部２５６４のみを備える構成であってもよい。すなわち、変化領域に係る画像データを抽出せずに、入力画像データ全体を送信してもよく、また、圧縮せずに送信してもよい。
【００５０】
前記実施形態では、外部機器用データに制限情報を付加したが、本発明はこれに限らない。すなわち、外部機器により受信された外部機器用データの他の外部機器への送信を規制しないのであれば、制限情報を付加せずともよい。
【００５１】
前記実施形態では、プロジェクタ２は、光変調装置として３つの液晶パネル２３２を備える構成としたが、本発明はこれに限らない。すなわち、２つ以下、あるいは、４つ以上の液晶パネルを用いたプロジェクタにも、本発明を適用可能である。また、入射光束を画像情報に応じて変調して画像光を形成する光変調装置であれば、他の構成の光変調装置を採用してもよい。例えば、マイクロミラーを用いたデバイスなど、液晶以外の光変調装置を用いたプロジェクタにも、本発明を適用することも可能である。
【００５２】
前記実施形態では、画像表示装置として、スクリーンＳＣに対する画像光の投射方向と、当該画像光に係る画像の観察方向とが略同じであるフロントタイプのプロジェクタ２を例示したが、本発明はこれに限らない。例えば、投射方向と観察方向とがそれぞれ反対方向となるリアタイプのプロジェクタにも適用できる。また、本発明は、プロジェクタの他に、液晶ディスプレイ、プラズマディスプレイ、有機ＥＬ（Electroluminescence）ディスプレイ及びＣＲＴ（Cathode Ray Tube）ディスプレイ等の各種画像表示装置にも適用できる。また、外部機器として、ＰＣ４、ＰＤＡ５及びプロジェクタ６を例示したが、本発明はこれに限らず、外部機器用データを受信することができるものでれば、他の機器であってもよい。
【産業上の利用可能性】
【００５３】
本発明は、画像表示装置に利用でき、特にプレゼンテーションに用いられるプロジェクタに好適に利用することができる。
【図面の簡単な説明】
【００５４】
【図１】本発明の一実施形態に係る画像表示システムを示す模式図。
【図２】前記実施形態におけるプロジェクタの構成を示すブロック図。
【図３】前記実施形態におけるデータ送信手段の構成を示すブロック図。
【図４】前記実施形態における外部機器としてのＰＣの構成を示すブロック図。
【図５】前記実施形態におけるデータ送信処理を示すフローチャート。
【符号の説明】
【００５５】
２…プロジェクタ（画像表示装置）、２２…映像メモリ（記憶部）、２４…無線通信手段（データ送信部）、２５５…データ判定部（判定部）、２５６…データ生成部、２５７…データ更新部（更新部）、２５８…データ出力部（データ送信部）、２５６１…位置情報取得部、２５６２…データ抽出部（抽出部）、２５６３…データ圧縮部（圧縮部）、２５６４…圧縮情報取得部、２５６６…制限情報取得部。
【図１】
0005262080.tif 000002
【図２】
0005262080.tif 000003
【図３】
0005262080.tif 000004
【図４】
0005262080.tif 000005
【図５】
0005262080.tif 000006